(57)【要約】【課題】複雑な制御を必要とすることなく、カラー表示画面に表示されたマウスやライン内の現在位置の指示子画像が見づらいといった不具合を防止可能なカラー画像処理装置を提供する。【解決手段】色付き縞模様線作成手段１は光の色の波長が大きく異なる複数個の波長の光の色の複数の色付き線を接触合体させて色付き多層線を作成し、その色付き多層線を現在位置の指示子画像として現在位置指示子画像表示部２に出力する。現在位置指示子画像表示部２は色付き縞模様線作成手段１で作成された現在位置の指示子画像をカラー表示装置３に表示する。【選択図】      図１
2004177625.tif 000002
【特許請求の範囲】
【請求項１】
カラー表示画面上に現在位置を示す指示子画像を表示するカラー画像処理装置であって、互いに異なる色からなる複数の線が相互に接する多層線を前記指示子画像として作成する作成手段と、前記作成手段で作成された前記指示子画像を前記カラー表示画面上に表示する表示手段とを有することを特徴とするカラー画像処理装置。
【請求項２】
前記作成手段は、光の色の波長が大きく異なる複数個の波長の光の色の線を多層に１本化した線を前記指示子画像として作成することを特徴とする請求項１記載のカラー画像処理装置。
【請求項３】
前記作成手段は、前記指示子画像を線方向と平行な縞模様、斜め模様、垂直模様からなるよう作成することを特徴とする請求項１または請求項２記載のカラー画像処理装置。
【請求項４】
前記多層線を構成する色のいずれかは、背景色と略補色関係にあることを特徴とする請求項１から請求項３のいずれか記載のカラー画像処理装置。
【請求項５】
カラー表示画面上に現在位置を示す指示子画像を表示するカラー画像処理装置の現在位置指示子表示方法であって、互いに異なる色からなる複数の線が相互に接する多層線を前記指示子画像として作成するステップと、その作成された前記指示子画像を前記カラー表示画面上に表示するステップとを有することを特徴とする現在位置指示子表示方法。
【請求項６】
前記指示子画像を作成するステップは、光の色の波長が大きく異なる複数個の波長の光の色の線を多層に１本化した線を前記指示子画像として作成することを特徴とする請求項５記載の現在位置指示子表示方法。
【請求項７】
前記指示子画像を作成するステップは、前記指示子画像を線方向と平行な縞模様、斜め模様、垂直模様からなるよう作成することを特徴とする請求項５または請求項６記載のカラー現在位置指示子表示方法。
【請求項８】
前記多層線を構成する色のいずれかは、背景色と略補色関係にあることを特徴とする請求項５から請求項７のいずれか記載のカラー現在位置指示子表示方法。
【発明の詳細な説明】
【０００１】
【発明の属する技術分野】
本発明はカラー画像処理装置及びそれに用いる現在位置指示子表示方法に関し、特に画面に表示された画像上のマウスカーソルの現在位置あるいはライン内の現在位置等を示す現在位置指示子画像の表示方法に関する。
【０００２】
【従来の技術】
従来、カラー表示装置においては、文字や描画線等の描画データをカラー表示装置に表示させる表示制御装置において、描画データを表示する表示領域の背景色に基づき、１つまたは複数種類の描画データの表示色を設定する表示色第一設定手段を備えている（例えば、特許文献１参照）。
【０００３】
これによって、従来のカラー表示装置では、その画面に表示される文字や描画線等の描画データの表示色を背景色に対して目立つように設定することで、文字や描画線等の描画データの色と背景色とが類似した色のために描画データが見づらいといった不具合を防止することができるとともに、ユーザが描画データの色を設定する作業負担を軽減することができる。よって、従来のカラー表示装置では、画面に表示された文字や描画線等の描画データが見づらいといった不具合を防止することができる。
【０００４】
また、従来の表示装置では、マウスの変位量からカーソルの位置のみならず、その移動速度をも求め、ユーザがカーソルの位置を把握したい場合に、計算機への合図動作として、マウスを素早く動かす動作を行うと、その移動速度が所定の速度閾値を超えたことを検知し、カーソルイメージを強調させる表示強調処理を行っている（例えば、特許文献２参照）。
【０００５】
この強調処理は、例えば、カーソルの表示サイズを拡大する処理、もしくは色を背景の補色にする処理、あるいは背景とカーソルとの輝度差を大きくする処理、またはこれらの併用によるものである。これによって、従来の表示装置では、表示装置の高解像度化に伴うカーソルサイズの相対的縮小によって、カーソルの視認性が低下するという不具合を解決することができる。
【０００６】
さらに、従来の画像処理装置では、画面に表示された画像の所望位置を指定するために画面上にカーソルまたはラインを表示して行う指定位置表示方法において、画像を記憶するフレームメモリと、カーソルと画像を重ねて記憶するオーバレイメモリと、オーバレイメモリに記憶されるカーソルの明度を変更する制御装置とを備えている（例えば、特許文献３参照）。
【０００７】
この従来の画像処理装置では、制御装置がカーソルまたはラインが表示される位置における画像データをフレームメモリから読出し、この読出した画像データからその位置における画像の明度を求め、この明度が基準値に達している時にカーソルまたはラインの明度を変更させている。これによって、従来の画像処理装置では、背景となる画像の明度や色彩に拘りなく、常に、カーソルやラインを見易いようにすることができる。
【０００８】
【特許文献１】
特開２００２−２７８５３８号公報（第１５頁、図１１）
【特許文献２】
特開平１０−２０７４４１号公報（第６〜８頁、図２）
【特許文献３】
特開平０７−２６１７３１号公報（第４，５頁、図１）
【０００９】
【発明が解決しようとする課題】
上述した従来の画像処理装置では、特許文献１〜３に記載の方法の場合、現在位置の指示子画像を常に見易くすることはできるが、カラー表示装置に表示されたマウスやライン内の現在位置の指示子画像が見づらいといった不具合を防止するために、カメレオンのような背景色の状態を自動把握する機構を要し、制御が複雑になるという問題がある。
【００１０】
そこで、本発明の目的は上記の問題点を解消し、複雑な制御を必要とすることなく、カラー表示画面に表示されたマウスやライン内の現在位置の指示子画像が見づらいといった不具合を防止することができるカラー画像処理装置及びそれに用いる現在位置指示子表示方法を提供することにある。
【００１１】
【課題を解決するための手段】
本発明によるカラー画像処理装置は、カラー表示画面上に現在位置を示す指示子画像を表示するカラー画像処理装置であって、互いに異なる色からなる複数の線が相互に接する多層線を前記指示子画像として作成する作成手段と、前記作成手段で作成された前記指示子画像を前記カラー表示画面上に表示する表示手段とを備えている。
【００１２】
本発明による現在位置指示子表示方法は、カラー表示画面上に現在位置を示す指示子画像を表示するカラー画像処理装置の現在位置指示子表示方法であって、互いに異なる色からなる複数の線が相互に接する多層線を前記指示子画像として作成するステップと、その作成された前記指示子画像を前記カラー表示画面上に表示するステップとを備えている。
【００１３】
すなわち、本発明のカラー画像処理装置は、色の異なる線が多層に接する、いわゆる虹のような縞模様の形の１本の線を作り、この多層線を現在位置の指示子画像を構成する線とする色付き縞模様線作成手段を有すことによって、背景の色が如何なる状況であっても、多層線のうちの少なくとも１つは明確に可視されるようにする。
【００１４】
例えば、２層線の場合には「黒」及び「黄色」とする。また、３層線の場合には、「Ｒ（赤）」、「Ｇ（緑）」、「Ｂ（青）」の３色等とする。上記の縞模様としては、通常、線方向と平行であるが、斜め模様、垂直模様でもよい。
【００１５】
上記のように、本発明のカラー画像処理装置では、現在位置の指示子の線あるいは輪郭線に対し、色付き縞模様線作成手段を適用し、色付き縞模様線とすると、現在位置の背景色がどのようであろうとも、あるいはどのように変化しようとも、縞模様を構成する線の色の少なくとも１つは、背景色とは補色関係に近いものとなり、線を際立たせる効果を生む。
【００１６】
その結果、本発明のカラー画像処理装置では、マウスの現在位置の図形線、マウスをクリックしたライン内位置の（点滅している）縦線、あるいはラインにテキスト文を入力した際の最終位置を表す縦線等が、常に、見易い状態となり得る。
【００１７】
これによって、本発明のカラー画像処理装置では、従来よりも制御処理による性能低下が少なく、カラー表示画面に表示されたマウスやライン内の現在位置の指示子画像が見づらいといった不具合を防止することが可能となるので、オペレータによるカーソル位置の画像の認識率を向上させることが可能となる。
【００１８】
【発明の実施の形態】
次に、本発明の実施例について図面を参照して説明する。図１は本発明の一実施例によるカラー画像処理装置の構成を示すブロック図である。図１において、本発明の一実施例によるカラー画像処理装置は色付き縞模様線作成手段１と、現在位置指示子画像表示部２と、カラー表示装置３とから構成されている。尚、本発明の一実施例によるカラー画像処理装置においてカラー表示装置３に実際に表示する画像（テキストや写真画像等）を処理する部分については公知であるので、その構成及び動作についてはその説明を省略する。
【００１９】
色付き縞模様線作成手段１は複数の色付き線を接触合体させて色付き多層線を作成し、その色付き多層線を現在位置の指示子画像として現在位置指示子画像表示部２に出力する。現在位置指示子画像表示部２は色付き縞模様線作成手段１で作成された現在位置の指示子画像をカラー表示装置３に表示する。
【００２０】
つまり、現在指示子画像表示部２は外部からの指示（カラー表示装置３に接続された図示せぬ情報処理装置からの指示等を含む）に基づいて、カラー表示装置３に指示子を表示する際、色付き縞模様線作成手段１から色付き多層線を入手し、その指示子画像をカラー表示装置３に表示する。この場合、色付き縞模様線作成手段１はソフトウェアによって実現してもよいし、ハードウェアで実現してもよい。
【００２１】
ここで、現在位置の指示子画像とは、パーソナルコンピュータのディスプレイやプレゼンテーション時のＯＨＰ（ＯｖｅｒＨｅａｄ  Ｐｒｏｊｅｃｔｏｒ）表示等において、注目してもらいたい、その表示画面の特定の位置を指し示す、現在位置の指示子画像であり、テキスト行内の点滅する、あるいは点滅しない縦線や、マウスをクリックして印を付けた位置の縦線、マウスの現在位置あるいはＯＨＰ用の解説者が持つ解説位置の指示棒の先の指マーク等を指す。
【００２２】
本実施例では、画面を見いてる人が、常に、瞬時にしてその現在位置の指示子の位置を把握することができるように、如何なる色の背景であっても、現在位置の指示子画像を把握することができるように、指示子画像を複数の色の縞模様線で構成している。
【００２３】
例えば、マウスをテキスト文字内で動かすと、現状では、その位置の指示子画像が黒の縦線（アルファベットの大文字のＩに近い形）が採用されているが、この場合、文字の色が黒で密度が濃い文字であれば、その指示子が見えにくく、いわゆる「闇夜の中のカラス」状態となる。
【００２４】
この現状を回避するために、光の色の波長が大きく異なる複数個の波長の光の色の線を多層に１本化した線を、位置指示子を構成する線として採用している。これによって、現在の背景色が如何なる光の色であっても、指示子の中のいずれかの光の線には背景色と補色の関係に近い色が存在するので、人間の目には背景色と競合し、互いを際立たせるように見えるという「補色効果」が常に成立していることになり、常に、その位置を把握することができる。
【００２５】
この多層線としては２層の場合に「黒」及び「黄色」、３層の場合にＲＧＢ（赤、緑、青）または（赤、黄色、青）等が想定される。７層の場合には、虹の色等である。この多層線は極微の線の幅を持つ線を接する形で実現する。この実現は専用のハードウェア機構を使用して実現してもよい。また、上記の縞模様としては、通常、線方向と平行であるが、斜め模様、垂直模様でもよい。
【００２６】
図２は本発明の一実施例による現在位置指示子の構成例を示す図である。図２において、本実施例による現在位置指示子は従来の単層の色の現在位置指示子の線を３層化した線の例を示している。
【００２７】
図２に示す例の場合、元の黒の縦線の幅Ｗの１／３（Ｗ／３）の幅の赤（Ｒ）、緑（Ｇ）、青（Ｂ）各々の縦線を接した形で置換して１本の色付き多層線を構成している。
【００２８】
上記のように、本実施例は帯用とタスキ用に対するものを固定的に（システム一意に）同時に用意する方式であり、どのように状況が転んでも、それに対応することができる。また、本実施例では付随して、カメレオンの如き背景色のセンサ機能を全く必要としない。
【００２９】
図３は本発明の一実施例によるカラー画像処理装置の動作を示すフローチャートである。これら図１〜図３を参照して本発明の一実施例によるカラー画像処理装置の動作について説明する。
【００３０】
現在位置指示子画像表示部２はテキスト行内の点滅する、あるいは点滅しない縦線、マウスをクリックして印を付けた位置の縦線、マウスの現在位置あるいはＯＨＰ用の解説者が持つ解説位置の指示棒の先の指マーク等を表示するために指示子要求があると（図３ステップＳ１）、予め指示されたパターンの色付き多層線（図２参照）を現在位置指示子として作成するように作成色付き縞模様線作成手段１に通知する（図３ステップＳ２）。この場合、色付き多層線のパターンはユーザが指示する時に選択するようにすることも、予め複数のパターンの中から選択しておくことも可能である。
【００３１】
また、現在位置指示子画像表示部２は外部から指示された現在位置指示子の表示位置を確認して現在位置とし（図３ステップＳ３）、カラー表示装置３の表示画面上の現在位置に、作成された現在位置指示子を表示する（図３ステップＳ４）。
【００３２】
一方、現在位置指示子画像表示部２は外部からの指示が現在位置指示子の移動かどうかを判別し（図３ステップＳ５）、現在位置指示子の移動と判断すると、表示位置を確認して現在位置とし（図３ステップＳ６）、ステップＳ４に戻って、作成された現在位置指示子を表示する。
【００３３】
また、現在位置指示子画像表示部２は現在位置指示子の移動ではないと判断すると、現在位置指示子の消去かどうかを判別し（図３ステップＳ７）、現在位置指示子の消去と判断すると、表示画面上の現在位置に表示された現在位置指示子を消去する（図３ステップＳ８）。
【００３４】
現在位置指示子画像表示部２はこの現在位置指示子の消去の後、あるいは現在位置指示子の消去でないと判断すると、表示処理終了かどうかを判断する（図３ステップＳ９）。現在位置指示子画像表示部２は表示処理終了でなければ、ステップＳ１に戻って次の現在位置指示子の表示を行い、表示処理終了であれば、上記の処理を終了する。
【００３５】
このように、本実施例では、現在位置指示子画像を構成する線を、異なる光の色からなる多層線で作成し、如何なる背景色に対しても、背景色に対して補色に近い色を持たせることで、互いにその色を際立たせる「補色効果」が働き、指示子が常に見易い状態となるので、カラー表示画面に表示されたマウスやライン内の現在位置の指示子画像が見づらいといった不具合を防止することができる。
【００３６】
従来の指示子画像を見易くする指示子の表示方式では、全て、現在位置の指示子画像の線の色を単色のまま、背景色と補色関係にある色に近い物に変化させている。したがって、線の色を自動的に背景色の補色化する、あるいは、利用者とのインタフェースを設け、変更する必要があり、システムのオーバヘッドとなる方式である。
【００３７】
これに対し、本実施例では、背景色を計測する必要がなく、ほぼオーバヘッドが発生せず、機構も単に複数の色の異なる線を束ねるだけの、ソフトウェア的には現在の機能を利用して単純に実現することができるため、非常にシンプルな処理で指示子画像を見易くすることができる。但し、本実施例では、ハードウェア的に色付き多層線を実現する際に、それ相当のハードウェアの強化と、ソフトウェアとのインタフェースの新規設定が必要となる。
【００３８】
【発明の効果】
以上説明したように本発明は、カラー表示画面上に現在位置を示す指示子画像を表示するカラー画像処理装置において、互いに異なる色からなる複数の線が相互に接する多層線を指示子画像として作成し、その作成された指示子画像をカラー表示画面上に表示することによって、複雑な制御を必要とすることなく、カラー表示画面に表示されたマウスやライン内の現在位置の指示子画像が見づらいといった不具合を防止することができるという効果が得られる。
【図面の簡単な説明】
【図１】本発明の一実施例によるカラー画像処理装置の構成を示すブロック図である。
【図２】本発明の一実施例による現在位置指示子の構成例を示す図である。
【図３】本発明の一実施例によるカラー画像処理装置の動作を示すフローチャートである。
【符号の説明】
１  色付き縞模様線作成手段
２  現在位置指示子画像表示部
３  カラー表示装置
【図１】
2004177625.tif 000003
【図２】
2004177625.tif 000004
【図３】
2004177625.tif 000005